(57)【要約】      （修正有）【課題】支持高さを連続して、しかもワンタッチで調整することができる筆記具収納具を提供する。【解決手段】上下方向に延び、筆記具１をその長手方向が上下方向に沿う向きで収納する収納筒１２と、収納筒１２内に上下動可能に収納されて筆記具１を支持する支持片１３と、収納筒１２の周面１５に該周面１５の上下方向に沿ってその内外を連通する連通部１８と、該連通部１８を内外方向に連通し内側部を支持片１３に接続すると共に外側部２０Ｂに摘み部２０Ｃを設けた操作部材２０と、該操作部材２０に設けられ外周面１５Ｂと外側部２０Ｂ間に介在する弾性体２１とを備える。弾性体２１による外周面１５Ｂへの押圧に伴う摩擦力によって、支持片１３を収納筒１２の所望位置で固定でき、連続的に高さ調整することができる。【選択図】図２
0003147766.tif 000002
【実用新案登録請求の範囲】
【請求項１】
上下方向に延び、筆記具をその長手方向が上下方向に沿う向きで収納する収納筒と、前記収納筒内に上下動可能に収納されて前記筆記具を支持する支持片と、前記収納筒の周面に該周面の上下方向に沿ってその内外を連通する連通部と、該連通部を内外方向に連通し内側部を前記支持片に接続すると共に外側部に摘み部を設けた操作部材と、前記操作部材に設けられ該操作部材と前記周面間に介在する弾性体とを備えたことを特徴とする筆記具収納具。
【請求項２】
前記弾性体の内側部が前記周面の外周面側に当接すると共に、前記弾性体の外側部が前記操作部材の外側に当接することを特徴とする請求項１記載の筆記具収納具。
【請求項３】
前記弾性体の内側部が前記支持片に当接すると共に、前記弾性体の外側部が前記周面の内周面に当接することを特徴とする請求項１記載の筆記具収納具。
【請求項４】
前記支持片は前記収納筒の内周面に摺動自在に嵌合しており、前記弾性体は、コイルスプリング又は弾性ゴムからなり、前記弾性体の中心孔部に前記操作部材が遊挿することを特徴とする請求項１〜３のいずれか１項に記載の筆記具収納具。
【請求項５】
前記コイルスプリングが一巻状であることを特徴とする請求項４記載の筆記具収納具。
【考案の詳細な説明】
【技術分野】
【０００１】
本考案は、チョーク、鉛筆、ボールペンなどの筆記具を収納する筆記具収納具に関するものである。
【背景技術】
【０００２】
従来、この種のものとして収納筒に、その肉部を貫通し上下方向に延びる支持ピン挿通孔と、該支持ピン挿通孔の一方の側にてこれと連通して肉部を貫通し互いに高さの異なるように複数の支持ピン係合孔が形成され、支持片には、支持ピン挿通孔及び支持ピン係合孔を通して外側に突出し得る断面を持つ支持ピンが形成され、支持ピンが支持ピン挿通孔、支持ピン係合孔を通して収納筒外部に突出せしめ、筆記具が或る程度以上短くなったら支持片に突出形成されている支持ピンを支持ピン挿通孔に沿って上昇させて１段階高い支持ピン係合孔に係合させて筆記具の支持位置の高さを変えることができ、そして、その繰り返しにより、多段階で段階的に筆記具の支持位置の高さを段階的に変化させることができ、この結果、筆記具を取り出す毎に支持ピンを上昇させなくても済むようにでき、作業能率の向上を図ることができるものが知られている。
【０００３】
また、支持片に挿通孔を通して収納筒外部に突出する雄ねじを形成し、固定具としてその雄ねじに螺合する雌ねじを設け、その固定具、即ち雌ねじを支持片の雄ねじに螺合させ緊締することにより、固定具で支持片を収納筒に固定し、それを緩めることにより支持片を上下動可能にするようにしたものも知られている（例えば、特許文献１）。
【特許文献１】特開２００３−８０４７４号公報
【考案の開示】
【考案が解決しようとする課題】
【０００４】
しかし、従来技術の前者においては、筆記具の支持位置の高さを段階的に変化させるものであるので、連続して高さ調整を行うことはできない。一方、従来技術の後者においては、連続して高さ調整を行うことができるものの、ねじを緊締、緩める作業を必要とするので、ワンタッチで高さ調整を行うことができない。
【０００５】
解決しようとする問題点は、支持高さを連続して、しかもワンタッチで調整することができる筆記具収納具を提供する点である。
【課題を解決するための手段】
【０００６】
請求項１の考案は、上下方向に延び、筆記具をその長手方向が上下方向に沿う向きで収納する収納筒と、前記収納筒内に上下動可能に収納されて前記筆記具を支持する支持片と、前記収納筒の周面に該周面の上下方向に沿ってその内外を連通する連通部と、該連通部を内外方向に連通し内側部を前記支持片に接続すると共に外側部に摘み部を設けた操作部材と、前記操作部材に設けられ該操作部材と前記周面間に介在する弾性体とを備えたことを特徴とする筆記具収納具である。
【０００７】
請求項２の考案は、前記弾性体の内側部が前記周面の外周面側に当接すると共に、前記弾性体の外側部が前記操作部材の外側に当接することを特徴とする請求項１記載の筆記具収納具である。
【０００８】
請求項３の考案は、前記弾性体の内側部が前記支持片に当接すると共に、前記弾性体の外側部が前記周面の内周面に当接することを特徴とする請求項１記載の筆記具収納具である。
【０００９】
請求項４の考案は、前記支持片は前記収納筒の内周面に摺動自在に嵌合しており、前記弾性体は、コイルスプリング又は弾性ゴムからなり、前記弾性体の中心孔部に前記操作部材が遊挿することを特徴とする請求項１〜３のいずれか１項に記載の筆記具収納具である。
【００１０】
請求項５の考案は、前記コイルスプリングが一巻状であることを特徴とする請求項４記載の筆記具収納具である。
【考案の効果】
【００１１】
請求項１の考案によれば、弾性体による周面への押圧に伴う摩擦力によって、支持片を収納筒の所望位置を連続的に調整して固定することができる。
【００１２】
請求項２の考案によれば、弾性体に伴う外周面側での摩擦力によって、操作部材、支持片を確実に停止、固定状態とすることができる。
【００１３】
請求項３の考案によれば、弾性体に伴う内周面側での摩擦力によって、操作部材、支持片を確実に停止、固定状態とすることができる。
【００１４】
請求項４の考案によれば、弾性体の中心孔部に操作部材が遊挿することで、弾性体の位置決めを行うことができる。
【００１５】
請求項５の考案によれば、高さを調整する手段をコンパクト化することができる。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１〜３は実施例１を示しており、チョークなどの筆記具１を収納する筆記具収納具２は、作業用ケース３に装着されるものであり、作業用ケース３はベルト通し孔４を上部に有する吊り下げ部材５を有し、この吊り下げ部材５の表面に工具（図示せず）を挿入する第１のポケット６を設けると共に、この第１のポケット６の表面の一側に別の工具（図示せず）を挿入する第２のポケット７を設ける。さらに、第１のポケット６の表面の他側に筆記具収納具２を収納する第３のポケット８を設ける。この第３のポケット８は第１の上部開口９を有すると共に第１の底部10を有するものであって、側面に内外を貫通する側面開口部11を上下方向に沿って形成している。
【００１８】
前記筆記具収納具２は、筆記具１を上方から挿入して収納する収納筒12と、収納筒12の内側で上下動可能に収納される支持片13と、この支持片13を上下方向に移動すると共に、所望高さで固定状態とするストッパー手段14を備える。
【００１９】
前記収納筒12は、実施例では筆記具１よりも径大な上下方向に延びる円筒形であって、その周面15に、第２の上部開口16から第２の底開口部17近傍に至る上下方向に沿ってその内外を連通する連通部18を切り欠くようにして設ける。前記支持片13は収納筒12よりわずかに径小な水平な円板状であって、その縁には下方へ向けて短い円筒部19が接続しており、この円筒部19が内周面15Ａに接して上下方向に摺動できるようになっている。前記ストッパー手段14は、連通部18を横向きで貫通し内側部20Ａを短い円筒部19にビスやボルトのような接続手段19Ａを介して接続すると共に、外側部20Ｂを外周面15Ｂより外側に突設した操作部材20と、操作部材20に設けられて外周面15Ｂと外側部20Ｂ間に介在する弾性体21からなる。操作部材20は円柱状軸であって、その外側部20Ｂには摘み部20Ｃが段部20Ｄを介して径大となって設けられている。そして、弾性体21はほぼ一巻のコイルスプリングからなり、その中心孔部22に操作部材20が貫通しており、さらに、弾性体21の内側にリングからなり連通部18を跨ぐように設けられて摺動部材23が設けられ、その中心孔部23Ａに操作部材20が貫通している。そして、弾性体21の内側部21Ａが連通部18の近傍の外周面15Ｂである外面の対向部位15Ｃに当接すると共に、弾性体21の外側部21Ｂが段部20Ｄに当接して、この弾性体21の弾性力によって、内側部21Ａ、ひいては摺動部材23が外周面15Ｂ（対向部位15Ｃ）に当接し、その摩擦力によって支持片13を停止状態に固定できるようになっている。尚、実施例１では弾性体21はほぼ一巻状（線材の巻数が１）のコイルスプリングの場合を示したが、弾性ゴムのような弾性体でもよい。尚、円筒部19と内側部21Ａとは螺子13Ａによって接続している。
【００２０】
次に前記構成についてその作用を説明する。筆記具収納具２を第１の上部開口９より第３のポケット８に挿入すると共に、摘み部20Ｃを側面開口部11からあらわして外側から摘むことができるように装着する。そして筆記具１が長い場合には支持片13を第２の底部17側に配置しておくことで筆記具１の挿入長さを大きくすることができる。一方、筆記具１が短くなると、図１に示すように支持片13を上下方向の中段に配置する必要がある。この操作は、摘み部20Ｃを前記摩擦力に抗して連続して上方に引き上げ、そして、摘み部20Ｃから指を離すと弾性体21によって、連通部18の近傍の外周面15Ｂ（対向部位15Ｃ）に、摩擦力によって支持部材20、ひいては支持片13を停止状態に固定する。この状態で、筆記具１を収納筒12に挿入して支持片13に支持させた状態では、前記摩擦力が支持片13、筆記具１の重量に抗して停止状態に固定できる。
【００２１】
以上のように、前記実施例では請求項１に対応して、上下方向に延び、筆記具１をその長手方向が上下方向に沿う向きで収納する収納筒12と、収納筒12内に上下動可能に収納されて筆記具１を支持する支持片13と、収納筒12の周面15に該周面15の上下方向に沿ってその内外を連通する連通部18と、該連通部18を内外方向に連通し内側部20Ａを支持片13に接続すると共に外側部20Ｂに摘み部20Ｃを設けた操作部材20と、操作部材20に設けられ操作部材20と周面15間に介在する弾性体21とを備えたことにより、弾性体21による外周面15Ｂへの押圧に伴う摩擦力によって、支持片13を収納筒12の所望位置で固定でき、さらに前記摩擦力に抗して操作部材20を操作して支持片13を連続的に上下動させて所望位置に再び固定できるので、上下方向の支持片13の位置を連続的に調整することができる。
【００２２】
前記実施例では請求項２に対応して、弾性体21の内側部21Ａが外周面15Ｂ側に摺動部材23を介して当接すると共に、外側部21Ｂが操作部材20側に当接することにより、外周面15Ｂ側への操作部材20側の摩擦力によって、操作部材20、ひいては支持片13を確実に停止、固定状態とすることができる。
【００２３】
前記実施例では請求項４に対応して、支持片13は収納筒12の内周面15Ａに摺動自在に嵌合しており、弾性体21はコイルスプリングからなり、弾性体21の中心孔部22に操作部材20が遊挿することで、弾性体の位置決めを行うことができる。
【００２４】
さらに、前記実施例では請求項５に対応して、弾性体21であるコイルスプリングが一巻状であることにより、コイル長さを可及的に短くでき、ストッパー手段14周りをコンパクト化することができ、作業用ケース３に装着して邪魔にならない。
【実施例２】
【００２５】
図４は実施例２を示しており、前記実施例１と同一部分には同一符号を付し、その詳細な説明を省略する。実施例２においては、一巻状のコイルバネからなる弾性体21´を収納筒12の内側に設けたものである。そして、弾性体21´の中心孔部22に操作部材20の接続手段19Ａを兼用する内側部20Ａが遊挿し、弾性体21´の内側部21´Ａが支持片13側にある短い円筒部19に当接すると共に、外側部21´Ｂが摺動部材23を介して内周面15Ａに当接するようにしたものである。
【００２６】
したがって、弾性体21´の弾性力によって摺動部材23が内周面15Ａに押圧されて生成される摩擦力に抗して摘み部20Ｃを連続して上方に引き上げ、そして、摘みから指を離すと弾性体21´によって、連通部18の近傍の外周面15Ｂを摩擦力によって再び挟持して支持片13を停止状態に固定する。
【００２７】
以上のように、前記実施例では請求項３に対応して、弾性体21´の内側部21´Ａが支持片13に当接すると共に、弾性体21´の外側部21´Ｂが内周面15Ａに当接することにより、内周面15Ａ側への摩擦力によって、支持片13を確実に停止、固定状態とすることができる。
【産業上の利用可能性】
【００２８】
以上のように本考案にかかる筆記具収納具は、各種の用途に適用できる。
【図面の簡単な説明】
【００２９】
【図１】本考案の第１実施例を示す分解斜視図である。
【図２】同一部切り欠き斜視図である。
【図３】同断面図である。
【図４】本考案の第２実施例を示す断面図である。
【符号の説明】
【００３０】
１  筆記具
12  収納筒
13  支持片
15  周面
18  連通部
20  操作部材
20Ａ  内側部
20Ｂ  外側部
20Ｃ  摘み部
21  21´  弾性体
21Ａ  21´Ａ  内側部
21Ｂ  21´Ｂ  外側部
22  中心孔部
【図１】
0003147766.tif 000003
【図２】
0003147766.tif 000004
【図３】
0003147766.tif 000005
【図４】
0003147766.tif 000006